(57)【要約】【課題】用紙におけるトナー像の転写位置や転写量によって被加熱部材の加熱対象領域の幅を適切に調整することによりエネルギー消費量を抑制することのできる定着装置及び画像形成装置を提供すること。【解決手段】磁束遮蔽板６０により遮蔽される誘導加熱手段から被加熱部材への磁束の経路の幅を，該磁束遮蔽板６０を移動させることによって遮蔽部Ｄ１〜Ｄ６の複数段階に変更することのできる構成において，用紙におけるトナーの転写位置や複数段階の幅に対応する領域ごとのトナーの転写量を検出し，トナーが転写されない位置や，トナーの転写量が予め設定された所定量以下である領域に対応する前記磁束の経路を遮蔽するように前記磁束遮蔽板６０を移動させるように構成される。【選択図】図３
2010066547.tif 000002
【特許請求の範囲】
【請求項１】
用紙に付着したトナーを溶融定着させる定着部材又は該定着部材に熱的に結合された伝熱部材を被加熱部材として誘導加熱を行う誘導加熱手段と，前記誘導加熱手段から前記被加熱部材に作用する磁束の経路上に設けられ，前記被加熱部材の長手方向に対応する幅が複数段階に変化する形状を有する磁束遮蔽部材と，前記磁束遮蔽部材を移動させることによって該磁束遮蔽部材により遮蔽される前記磁束の経路の幅を前記複数段階に変更する磁束幅変更手段とを備えてなる定着装置であって，
前記用紙におけるトナーの転写位置及び／又は前記複数段階の幅に対応する領域ごとのトナーの転写量を検出するトナー転写状態検出手段を備えてなり，
前記磁束幅変更手段が，前記トナー転写状態検出手段により検出されたトナーが転写されない位置，及び／又は前記トナー転写状態検出手段により検出されたトナーの転写量が予め設定された所定量以下である領域に対応する前記磁束の経路を遮蔽するように前記磁束遮蔽部材を移動させるものであることを特徴とする定着装置。
【請求項２】
前記誘導加熱手段が，前記被加熱部材の幅方向に巻かれた誘導コイルと，前記誘導コイルの中空部を介して前記被加熱部材に対向配置された円筒状の第１の磁性体コアと，前記被加熱部材及び前記第１の磁性体コアの間に前記誘導コイルの外部を通過する磁気回路を形成する第２の磁性体コアとを備えてなり，
前記磁束遮蔽部材が，前記第１の磁性体コアの外周面に設けられたものであって，前記磁束幅変更手段が，前記第１の磁性体コアを回転させて前記被加熱部材及び前記第１の磁性体コアの対向部における前記磁束遮蔽部材の幅を変更することにより前記磁束の経路の幅を変更するものである請求項１に記載の定着装置。
【請求項３】
請求項１又は２のいずれかに記載の定着装置を備えてなる画像形成装置。
【発明の詳細な説明】
【技術分野】
【０００１】
本発明は，誘導加熱方式の定着装置及びこれを備えた画像形成装置に関し，特に，誘導加熱される被加熱部材（定着ローラなど）の加熱対象領域の幅を変更するための技術に関するものである。
【背景技術】
【０００２】
一般に，プリンタ装置や複写機，ファクシミリ装置，これらの複合機などの画像形成装置には，定着ローラなどの被加熱部材を電磁誘導によって加熱する誘導加熱方式の定着装置が用いられる。具体的に，前記定着装置には，磁性材料からなる被加熱部材の最大通紙領域に対向して誘導コイル及び磁性体コアが配置されている。そして，誘導コイルに高周波電流を流すことにより磁束を発生させる。これにより，誘導コイルで発生した磁束が磁性体コアで形成された磁気回路を通じて被加熱部材に導かれ，該被加熱部材は，その磁束による電磁誘導で発生する渦電流（誘導電流）によって加熱される。
従来から，このような誘導加熱方式の定着装置では，最大通紙領域よりも小さいサイズの用紙が通紙される場合，その用紙が通過する通紙領域を所定の定着温度に維持するために，用紙が通過しない被加熱部材の端部近傍の非通紙領域で過熱が生じるという問題があった。そこで，被加熱部材における加熱対象領域の幅を用紙サイズに合わせて変更することのできる構成が検討されている。例えば，特許文献１には，誘導コイルから被加熱部材に作用する磁束の幅を磁束遮蔽部材で変更することにより加熱対象領域の幅を変更することが開示されている。
【特許文献１】特開２００５−２０８６２４号公報
【発明の開示】
【発明が解決しようとする課題】
【０００３】
しかしながら，被加熱部材の加熱対象領域を用紙サイズによって定めると，本来加熱が不要な領域も加熱対象領域となり無駄なエネルギー消費（電力消費）が行われる場合がある。例えば，用紙の幅方向の半分にだけトナー像が転写されており，もう半分にはトナー像が転写されていないような場合，被加熱部材の加熱対象領域をその用紙の全幅とすると，トナー像が転写されておらず定着の必要がない領域も不要に加熱されることになる。
従って，本発明は上記事情に鑑みてなされたものであり，その目的とするところは，用紙におけるトナー像の転写位置や転写量によって被加熱部材の加熱対象領域の幅を適切に調整することによりエネルギー消費量を抑制することのできる定着装置及び画像形成装置を提供することにある。
【課題を解決するための手段】
【０００４】
上記目的を達成するために本発明は，用紙に付着したトナーを溶融定着させる定着部材又は該定着部材に熱的に結合された伝熱部材を被加熱部材として誘導加熱を行う誘導加熱手段と，前記誘導加熱手段から前記被加熱部材に作用する磁束の経路上に設けられ，前記被加熱部材の長手方向に対応する幅が複数段階に変化する形状を有する磁束遮蔽部材とを備えてなり，前記磁束遮蔽部材を移動させることによって該磁束遮蔽部材により遮蔽される前記磁束の経路の幅を前記複数段階に変更することが可能な定着装置に適用されるものであって，前記用紙におけるトナーの転写位置や前記複数段階の幅に対応する領域ごとのトナーの転写量を検出し，トナーが転写されない位置や，トナーの転写量が予め設定された所定量以下である領域に対応する前記磁束の経路を遮蔽するように前記磁束遮蔽部材を移動させることを特徴とする定着装置として構成される。
本発明によれば，トナーが転写されない位置やその転写量が少ない領域に対応する前記磁束の経路を遮蔽することによって，前記誘導加熱手段から前記被加熱部材に作用する磁束の幅を調整し，前記被加熱部材において加熱が必要な領域のみを加熱対象領域とすることができるため，無駄なエネルギー消費を防止することができる。特に，用紙の幅方向の半分にだけトナーが転写される原稿を複数枚印刷する場合などに好適である。
具体的に，前記誘導加熱手段は，前記被加熱部材の幅方向に巻かれた誘導コイルと，前記誘導コイルの中空部を介して前記被加熱部材に対向配置された円筒状の第１の磁性体コアと，前記被加熱部材及び前記第１の磁性体コアの間に前記誘導コイルの外部を通過する磁気回路を形成する第２の磁性体コアとを備えてなることが考えられる。この場合，前記磁束遮蔽部材を前記第１の磁性体コアの外周面に設けておき，前記第１の磁性体コアを回転させて前記被加熱部材及び前記第１の磁性体コアの対向部における前記磁束遮蔽部材の幅を変更することにより前記磁束の経路の幅を変更することが可能である。
ところで，本発明は，前記のように構成された定着装置を備えてなる画像形成装置の発明として捉えてもよい。
【発明の効果】
【０００５】
本発明によれば，トナーが転写されない位置やその転写量が少ない領域に対応する前記磁束の経路を遮蔽することによって，前記誘導加熱手段から前記被加熱部材に作用する磁束の幅を調整し，前記被加熱部材において加熱が必要な領域のみを加熱対象領域とすることができるため，無駄なエネルギー消費を防止することができる。特に，用紙の幅方向の半分にだけトナーが転写される原稿を複数枚印刷する場合などに好適である。
【発明を実施するための最良の形態】
【０００６】
以下添付図面を参照しながら，本発明の実施の形態について説明し，本発明の理解に供する。なお，以下の実施の形態は，本発明を具体化した一例であって，本発明の技術的範囲を限定する性格のものではない。
ここに，図１は本発明の実施の形態に係る複写機Ｘの概略構成を示すブロック図，図２は本発明の実施の形態に係る定着装置５の概略構成を示す模式図，図３は本発明の実施の形態に係る定着装置５に設けられた磁束遮蔽板６０を説明するための模式図である。
まず，図１を用いて，本発明の実施の形態に係る複写機Ｘの概略構成について説明する。
図１に示すように，本発明の実施の形態に係る複写機Ｘは，操作表示部１，画像読取部２，画像処理部３，画像形成部４，定着装置５，及び制御部６などを備えて概略構成されている。前記複写機Ｘは，他にも一般的な電子写真方式の複写機が有する各種の構成要素を有しているが，それらについては従来と異なるところがないため，ここでは説明を省略する。なお，本発明は当該複写機Ｘに限られず，例えばプリンタ装置，ファクシミリ装置，これらの機能やスキャナ機能を有する複合機などの電子写真方式の画像形成装置にも適用可能である。
【０００７】
前記制御部６は，ＣＰＵ及びＲＯＭ，ＲＡＭ等の周辺装置を有してなり，前記ＲＯＭに格納された所定のプログラムに従った処理を前記ＲＡＭに展開しながら実行することにより当該複写機Ｘを統括的に制御する。
前記操作表示部１は，前記制御部６からの指示に応じて各種の情報の表示を行う液晶ディスプレイや，前記制御部６への操作入力を行うためのタッチパネルなどを有している。
前記画像読取部２は，原稿台やＡＤＦ（自動搬送装置）にセットされた原稿の画像を読み取るものであって，該画像読取部２で読み取られた画像データは前記画像処理部３に入力される。
【０００８】
前記画像処理部３は，前記画像読取部２で読み取られた原稿の画像データや，ＬＡＮ等の通信網を介して図外の情報処理装置から入力された原稿の画像データなどに対して各種の画像処理を施すものである。前記画像処理部３で画像処理が施された後の画像データは，前記画像形成部４に入力される。
また，前記画像処理部３は，前記画像データに基づいて，該画像データが形成される用紙におけるトナーの転写位置や後述の磁束遮蔽板６０に形成された複数段階の幅に対応する遮蔽部Ｄ１〜Ｄ６（図３の墨付部参照）の領域ごとのトナーの転写量（印字率など）などを検出する機能を有している。ここに，係る検出処理を実行するときの前記画像処理部３がトナー転写状態検出手段に相当する。例えば，前記画像処理部３は，周知のドットカウント技術などを用いて検出を行う。そして，前記画像処理部３による検出結果は，前記制御部６に入力され，該制御部６によって実行される後述の加熱対象幅変更処理における判断指標として用いられる。
【０００９】
前記画像形成部４は，感光体ドラムや帯電器，現像装置，ＬＳＵなどを有してなり，前記画像処理部３から入力された原稿の画像データに基づいて用紙にトナー像（現像剤）を形成するものである。
そして，前記定着装置５は，前記画像形成部４によってトナー像が形成された用紙にそのトナー像を溶融定着させる。本発明の実施の形態に係る前記複写機Ｘは，前記定着装置５に関する構成及び動作に特徴を有しており，以下，図２及び図３を用いてその点について詳説する。
【００１０】
図２に示すように，前記定着装置５は，前記画像形成部４においてトナー像が転写された後，用紙搬送路５０上に搬送される用紙を圧接しながら回転する定着ローラ５１及び加圧ローラ５１ａと，前記定着ローラ５１との間に張架された定着ベルト５２（定着部材の一例）を介して該定着ローラ５１から伝達される駆動力によって回転駆動される加熱ローラ５３（伝熱部材，被加熱部材の一例）と，前記加熱ローラ５３を誘導加熱するための誘導コイル５４と，前記誘導コイル５４で発生した磁束を前記加熱ローラ５３に導く磁気回路を形成するセンターコア５５（第１の磁性体コアの一例）及び外部コア５６（第２の磁性体コアの一例）とを有している。
前記定着ローラ５１は，不図示のステッピングモータなどの駆動手段に連結されており，該駆動手段によって回転駆動される。前記定着ローラ５１が回転駆動されると，その駆動力によって前記定着ベルト５２が走行し，該定着ベルト５２から伝達される駆動力によって前記加熱ローラ５３が回転する。前記加熱ローラ５３は，鉄や整磁合金などの磁性材料で形成されたものである。
【００１１】
前記誘導コイル５４は，前記加熱ローラ５３の幅方向である回転軸方向（図２における奥行き方向）に巻かれたものであって，該加熱ローラ５３の長手方向の幅（最大通紙幅と略同じ幅）と略同じ幅に形成されている。
また，前記センターコア５５及び前記外部コア５６は，フェライトなどの強磁性材料から構成されたものであって，前記誘導コイル５４と同様に前記加熱ローラ５３の長手方向の幅と略同じ幅に形成されている。このセンターコア５５及び外部コア５６は，前記誘導コイル５４で発生する磁束を前記加熱ローラ５３に導く磁気回路（図２の太線矢印参照）を形成する。
前記定着装置５では，前記誘導コイル５４への電力供給により該誘導コイル５４で発生した磁束が前記センターコア５５及び前記外部コア５６によって前記加熱ローラ５３に導かれ，該加熱ローラ５３の表面に渦電流（誘導電流）が発生することによって該加熱ローラ５３が加熱される。ここに，前記加熱ローラ５３の誘導加熱を行うために設けられた前記誘導コイル５４，前記センターコア５５及び前記外部コア５６が誘導加熱手段の一例である。
そして，前記加熱ローラ５３が加熱されると，前記加熱ローラ５３から該加熱ローラ５３に熱的に結合された前記定着ベルト５２への熱伝導によって該定着ベルト５２が加熱される。これにより，前記定着ベルト５２に接触する用紙では，該用紙に付着したトナーが溶融定着される。なお，前記定着ベルト５２が磁性部材から構成され，該定着ベルト５２が前記誘導コイル５４からの磁束によって直接加熱される構成も考えられる。また，前記加熱ローラ５３や前記定着ベルト５２を有さず，前記定着ローラ５１を前記誘導コイル５４からの磁束によって直接誘導加熱するように構成することも考えられる。これらの場合には，加熱対象となる前記定着ベルト５２や前記定着ローラ５１が被加熱部材に相当する。
【００１２】
前記外部コア５６は，図２に示すように，前記加熱ローラ５３及び前記センターコア５５の両側部を囲むコの字状，逆コの字状の一対の磁性体コアから構成されており，前記加熱ローラ５３及び前記センターコア５５の間に前記誘導コイル５４の外部を通過する磁気回路を形成するものである。
なお，前記外部コア５６は，前記加熱ローラ５３及び前記センターコア５５の長手方向の全幅に亘って連続的に形成されたものに限られず，例えば前記加熱ローラ５３及び前記センターコア５５の長手方向の全幅に亘って所定間隔毎に配置された複数の板状コアを有するものであってもよい。
【００１３】
一方，前記センターコア５５は，前記誘導コイル５４の中空部を介して前記加熱ローラ５３に対向配置された円筒状のローラ部材であって，前記外部コア５６と前記加熱ローラ５３との間に磁気回路を形成するものである。前記センターコア５５は，該センターコア５５を前記加熱ローラ５３と独立して回転駆動させるコア回転機構（不図示）によって回転可能に支持されている。
前記コア回転機構（不図示）は，前記センターコア５５に連結された回転軸やギアなどの伝達系と，該回転軸やギアに連結されたステッピングモータやサーボモータなどの駆動系とを備えている。なお，前記コア回転機構（不図示）の駆動の有無や駆動量などは，前記制御部６などによって制御される。具体的に，前記駆動系として，入力されるステップ数に応じて所定量回転するステッピングモータを用いる場合には，該ステッピングモータに入力するステップ数によって前記センターコア５５の回転量を制御することができる。なお，前記駆動系は，例えばクラッチやソレノイドを用いて構成されるものであってもよい。
また，前記定着装置５では，前記誘導コイル５４から前記加熱ローラ５３に作用する磁束の経路上である前記センターコア５５の外周面に，前記加熱ローラ５３の長手方向の幅が複数段階に変化する形状を有する磁束遮蔽板６０（磁束遮蔽部材の一例）が設けられている。前記磁束遮蔽板６０は，磁束を遮蔽する銀や銅，アルミニウムなどの材料で形成されており，前記センターコア５５の回転に伴って回転する。
【００１４】
ここで，図３を用いて，前記磁束遮蔽板６０について説明する。ここに，図３は，前記磁束遮蔽板６０を説明するための模式図であって，前記センターコア５５及び前記磁束遮蔽板６０の展開図を示すものである。なお，図３には，前記センターコア５５の外周面が表れている。
図３に示すように，前記磁束遮蔽板６０は，前記センターコア５５から前記加熱ローラ５３への磁束の経路を遮蔽する位置及び幅の異なる遮蔽部Ｄ１〜Ｄ６（図３の墨付部）を有している。なお，前記磁束遮蔽板６０は，前記センターコア５５の左右に二分して設けられている。また，前記センターコア５５には，前記磁束遮蔽板６０が設けられていない非遮蔽部Ｄ０が存在する。
ここに，前記遮蔽部Ｄ１〜Ｄ６各々は，前記センターコア５５において，右側２／３，右側１／２，右側１／３及び左側１／３，左側１／２，左側２／３，全幅，の各々に対応する位置及び幅を有するものである。従って，前記センターコア５５の外周面における該センターコア５５の露出領域は，前記遮蔽部Ｄ１〜Ｄ６を除く領域（図３の白抜部）となり，前記遮蔽部Ｄ１〜Ｄ６においては，該センターコア５５からの磁束が遮蔽される。
なお，ここで説明する遮蔽部Ｄ１〜Ｄ６は単なる一例に過ぎない。例えば，前記複写機ＸがＡ３，Ａ４，Ｂ４，Ｂ５などの各種用紙サイズに対応している場合，前記磁気遮蔽板６０には，その各種の用紙サイズの幅と，その用紙サイズ各々の半分の幅との各々に対応する多段階の遮蔽部が形成されることが考えられる。もちろん，さらに細分化されたものであってもよい。
【００１５】
このように構成された前記複写機Ｘでは，前記センターコア５５を回転させて前記加熱ローラ５３と前記センターコア５５とが最も近接する対向部における前記磁束遮蔽板６０の幅を前記遮蔽部Ｄ１〜Ｄ６のいずれかに変更することによって，前記センターコア５５から前記加熱ローラ５３に作用する磁束の経路の位置及び幅，即ち前記加熱ローラ５３の加熱対象領域を変更することが可能である。
そして，前記複写機Ｘでは，前記制御部６が，画像形成が行われる用紙におけるトナーの転写状況に応じて，前記センターコア５５を回転させて前記磁束遮蔽板６０の回転移動させることにより，前記加熱ローラ５３の加熱対象領域を調整する磁束幅変更処理を実行する。ここに，係る磁束幅変更処理を実行するときの前記制御部６が磁束幅変更手段に相当する。以下，当該磁束幅変更処理の具体例について説明する。
【００１６】
まず，前記複写機Ｘにおいて画像形成処理の実行要求がなされると，前記制御部６は，その画像形成処理で用紙に形成される画像に対応する画像データについて前記画像処理部３によって検出されるトナーの転写位置や前記遮蔽部Ｄ１〜Ｄ６ごとのトナーの転写量（印字率など）を，該画像処理部３から取得する。
そして，前記制御部６は，前記画像処理部３から取得した検出結果に基づいて，前記遮蔽部Ｄ１〜Ｄ６各々が，前記加熱ローラ５３上における加熱の必要のない領域（以下「加熱不要領域」と称する）に対応するものであるか否かを判別する。具体的に，前記制御部６は，前記遮蔽部Ｄ１〜Ｄ６各々に対応する用紙上の位置（用紙幅の半分）にトナーが転写されない場合や，該遮蔽部Ｄ１〜Ｄ６各々に対応する用紙上の範囲におけるトナーの転写量が予め設定された所定量以下である場合などに，その遮蔽部Ｄ１〜Ｄ６が加熱不要領域に対応するものであると判断する。
また，例えば前記遮蔽部Ｄ１〜Ｄ６を遮蔽領域の広い順や予め設定された順で前記加熱不要領域であるか否かを判別し，前記加熱不要領域が検出された時点で該検出処理を終了するものであることも他の実施例として考えられる。これにより，前記遮蔽部Ｄ１〜Ｄ６のうち優先順位の高い遮蔽部が前記加熱不要領域であると判別された時点で処理を終了させることができる。
【００１７】
なお，前記遮蔽部Ｄ１〜Ｄ６各々の加熱の必要性の判断は，前記定着装置５に設けられたサーミスタなどの温度センサによって検出される前記加熱ローラ５３や前記定着ベルト５２の温度との関係を考慮するものであってもよい。
具体的に，前記遮蔽部Ｄ１〜Ｄ６各々の印字率が予め設定された閾値以下であるか否かによって該遮蔽部Ｄ１〜Ｄ６各々の加熱の必要性を判断する構成では，前記温度センサによる検出温度が高い場合には，前記温度センサによる検出温度が低い場合に比べて前記閾値が低くなるように設定することが考えられる。これにより，例えば，前記印字率が低く，用紙に転写されるトナーが前記定着ベルト５２の余熱で定着することができる程度に少ない場合には，前記センターコア５５から前記加熱ローラ５３への磁束の経路上に前記磁束遮蔽板６０の遮蔽部Ｄ６を介在させることによって該加熱ローラ５３の全幅への磁束を遮蔽して該加熱ローラ５３の加熱を行わないように制御することができ，不要なエネルギー消費を省減することができる。
【００１８】
そして，前記制御部６によって前記遮蔽部Ｄ１〜Ｄ６のいずれかが前記加熱不要領域に対応するものであると判断されると，該制御部６は，前記加熱不要領域として判別された前記遮蔽部Ｄ１〜Ｄ６のうちで最も遮蔽領域が広い遮蔽部が，前記センターコア５５と前記加熱ローラ５３とが最も近接する対向部に介在するように，前記コア回転機構（不図示）によって前記センターコア５５を回転させて前記磁束遮蔽板６０を回転移動させる。
これにより，前記画像処理部３により検出されたトナーが転写されない位置や，前記画像処理部３により検出されたトナーの転写量が予め設定された所定量以下である領域については，前記センターコア５５から前記加熱ローラ５３に作用する磁束の経路が遮蔽されることになる。例えば，Ａ３サイズの用紙の半分にだけトナー像が形成される場合には，その半分の領域を除く残りの半分の領域に対応する磁束の経路が遮蔽される。
なお，前記磁束遮蔽板６０の回転移動量は，前記センターコア５５を回転駆動する前記コア回転機構（不図示）に設けられたステッピングモータに入力するステップ数などによって調整される。具体的に，前記制御部６は，予め該制御部６のＲＯＭ等に記憶された前記ステッピングモータ等の駆動系の回転量と前記コア回転機構（不図示）によって回転される前記センターコア５５の回転位置との関係に基づいて，前記駆動系の回転量を制御する。もちろん，前記センターコア５５や前記磁束遮蔽板６０の回転位置を検出するセンサを配置しておき，そのセンサによる検知結果に基づいて該センターコア５５の回転量を制御するものであってもよい。
【００１９】
このように，前記定着装置５では，前記センターコア５５と前記加熱ローラ５３との間における磁路の遮蔽領域が，その磁路上に位置する前記磁束遮蔽板６０の遮蔽部Ｄ１〜Ｄ６のいずれかによって前記加熱不要領域に対応する位置及び幅に設定されることになる。
従って，その後，前記誘導コイル５４に交流電流が通電されると，該誘導コイル５４で発生する磁束は，前記加熱ローラ５３上の前記加熱不要領域に対応する領域には作用せず，該加熱不要領域を除く加熱が必要な領域にだけ作用して誘導加熱が行われるため，前記加熱不要領域を加熱するために無駄なエネルギーを消費することを防止することができる。特に，このような構成は，用紙の幅方向の半分にだけトナーが転写される原稿を複数枚印刷する場合などに好適である。
【００２０】
一方，前記制御部６によって，前記遮蔽部Ｄ１〜Ｄ６の全てが前記加熱不要領域に対応するものではないと判断された場合には，前記加熱ローラ５３の全幅を加熱する必要がある。そのため，この場合，前記制御部６は，前記センターコア５５の非遮蔽部Ｄ０が前記センターコア５５と前記加熱ローラ５３とが最も近接する対向部に介在するように，前記コア回転機構（不図示）によって前記センターコア５５を回転移動させる。
これにより，前記定着装置５では，前記センターコア５５の全幅と前記加熱ローラ５３の全幅との間に磁束の経路が確立され，該加熱ローラ５３の全体を加熱することができる。
【００２１】
なお，本実施の形態では，前記定着ベルト５２の幅方向の中心部に用紙の中心部が沿うように該用紙が搬送される構成を前提として説明したが，もちろん前記定着ベルト５２の幅方向の一端部に用紙の一端部が沿うように該用紙が搬送される構成にも適用可能である。
また，本実施の形態では，前記磁束遮蔽板６０が前記センターコア５５の外周面に沿って設けられており，回転移動によって前記センターコア５５から前記加熱ローラ５３に作用する磁束の経路の遮蔽幅を変更する場合を例に挙げて説明したが，これに限られない。例えば，前記センターコア５５と前記加熱ローラ５３との間で，該加熱ローラ５３の幅方向にスライド可能な構成において，該スライド移動によって前記センターコア５５から前記加熱ローラ５３への磁束の経路の遮蔽幅を変更し得る構成であってもよい。
【図面の簡単な説明】
【００２２】
【図１】本発明の実施の形態に係る複写機の概略構成を示すブロック図。
【図２】本発明の実施の形態に係る定着装置の概略構成を示す模式図。
【図３】本発明の実施の形態に係る定着装置に設けられた磁束遮蔽部材を説明するための模式図。
【符号の説明】
【００２３】
１…操作表示部
２…画像読取部
３…画像処理部（トナー転写状態検出手段の一例）
４…画像形成部
５…定着装置
６…制御部
５０…用紙搬送路
５１…定着ローラ
５１ａ…加圧ローラ
５２…定着ベルト（定着部材の一例）
５３…加熱ローラ（伝熱部材，被加熱部材の一例）
５４…誘導コイル
５５…センターコア（第１の磁性体コアの一例）
５６…外部コア（第２の磁性体コアの一例）
６０…磁束遮蔽板（磁束遮蔽部材の一例）
Ｄ０…非遮蔽部
Ｄ１〜Ｄ６…遮蔽部
Ｘ…複写機（画像形成装置の一例）
【図１】
2010066547.tif 000003
【図２】
2010066547.tif 000004
【図３】
2010066547.tif 000005